(57)【要約】【課題】簡易な構成で長径方向における曲げ強度を補強し、再生周波数の均一性を維持することができる楕円スピーカの振動板およびスピーカユニットを提供することを課題とする。【解決手段】楕円スピーカの振動板２０において、長径方向に両外端部を内側に屈曲させて形成した一対の補強部２７を、備えた。このとき、長径方向における各補強部２７の傾き角度θ３は、短径方向の傾き角度θ２と略同一となるよう形成されている。【選択図】図２
2008277918.tif 000002
【特許請求の範囲】
【請求項１】
長径方向に両外端部を内側に屈曲させて形成した一対の補強部を、備えたことを特徴とする楕円スピーカの振動板。
【請求項２】
長径方向における前記各補強部の傾き角度が、短径方向の傾き角度と略同一に形成されていることを特徴とする請求項１に記載の楕円スピーカの振動板。
【請求項３】
短径方向に両外端部を外側にそれぞれ屈曲させて形成した一対の副補強部を、更に備えたことを特徴とする請求項１に記載の楕円スピーカの振動板。
【請求項４】
請求項１に記載の楕円スピーカの振動板を、備えたことを特徴とするスピーカユニット。
【発明の詳細な説明】
【技術分野】
【０００１】
本発明は、ボイスコイルにより振動する楕円スピーカの振動板およびスピーカユニットに関するものである。
【背景技術】
【０００２】
従来、この種の楕円スピーカの振動板として、平面視楕円形状または長円形状に形成されたコーン振動板が知られている（例えば、特許文献１参照）。このコーン振動板は、ネック部から外端部に亘ってなだらかなカーブあるいは平坦となる母線形状に形成され、また、コーン振動板の長径方向における母線の傾き角度は、短径方向における母線の傾き角度に比して、浅くなるよう形成されている。
【特許文献１】特開２００６−１９７２５８号公報
【発明の開示】
【発明が解決しようとする課題】
【０００３】
しかしながら、上記の構成によれば、コーン振動板の長径方向における母線の傾き角度は、短径方向における母線の傾き角度に比して、浅くなるよう形成されているため、長径方向における曲げ強度は、短径方向における曲げ強度に比して弱くなっている。このとき、コーン振動板を前後に振動させると、コーン振動板の長径方向における母線の長さは、短径方向における母線の長さに比して長くなるよう形成されているため、短径方向に比して長径方向により多くの音響負荷が加わる。このため、コーン振動板の長径方向において、多くの音響負荷が加わるにもかかわらず曲げ強度が不足してしまい、これにより、コーン振動板の長径方向において歪みが生じ、再生周波数の均一性が得られない問題があった。
【０００４】
本発明は、簡易な構成で長径方向における曲げ強度を補強し、再生周波数の均一性を維持することができる楕円スピーカの振動板およびスピーカユニットを提供することを課題とする。
【課題を解決するための手段】
【０００５】
本発明の楕円スピーカの振動板は、長径方向に両外端部を内側に屈曲させて形成した一対の補強部を、備えたことを特徴とする。
【０００６】
この構成によれば、簡易な構成で、長径方向における曲げ強度を増すことができるため、音響負荷に耐えうる構成とすることができる。これにより、コーン振動板の長径方向において、音響負荷による歪みを生ずることなく、特に、中音域において、良好な周波数レスポンスを得ることができる。なお、楕円とは、楕円形状および長円形状を含む意である。
【０００７】
この場合、長径方向における各補強部の傾き角度が、短径方向の傾き角度と略同一に形成されていることが、好ましい。
【０００８】
この構成によれば、短径方向における外端部と長径方向における補強部との接続部分において、傾き角度の違いによる段差や折り目が生ずることがない。これにより、段差や折り目による歪みや無用な共振を生ずることなく、良好な周波数レスポンスを得ることができる。
【０００９】
この場合、短径方向に両外端部を外側にそれぞれ屈曲させて形成した一対の副補強部を、更に備えたことが、好ましい。
【００１０】
この構成によれば、長径方向だけでなく、短径方向においても曲げ強度を補強することができるため、振動板全体の曲げ強度を高めることができ、更に歪みにくい構成とすることができる。
【００１１】
本発明のスピーカユニットは、上記の楕円スピーカの振動板を、備えたことを特徴とする。
【００１２】
この構成によれば、簡易な構成により中音域における良好な周波数レスポンスを得ることができ、高音質な構造とすることができる。
【発明を実施するための最良の形態】
【００１３】
以下、添付の図面を参照して、本実施形態に係る楕円スピーカの振動板をスピーカユニットに適用した場合について説明する。
図１に示すように、スピーカユニット１は楕円形コーンスピーカであり、コーン形状のフレーム５と、フレーム５の内側に配設した正面視楕円状のコーン６と、フレーム５の基部に設けたトッププレート８と、間隙を存してトッププレート８に対峙するポールピース９と、トッププレート８とポールピース９との間隙に介設した環状のマグネット１０と、トッププレート８およびポールピース９に対峙するボイスコイル１１と、ボイスコイル１１が巻回され、コーン６に懸垂するように連結されたボイスコイルボビン１２と、ボイスコイルボビン１２とフレーム５の基部との間に介設した波板状のスパイダー（ダンパー）１３と、コーン６の中央に設けられ、ボイスコイルボビン１２の開口部を覆うセンターキャップ１４と、を備えている。入力信号に基づく電流をボイスコイル１１に印加することで懸垂状態のボイスコイル１１が前後に駆動し、ボイスコイルボビン１２を介してコーン６を振動させる。これにより、コーン６およびセンターキャップ１４から再生音が放射される。
【００１４】
図２に示すように、コーン６は、楕円形状のコーン振動板２０と、コーン振動板２０の外周に環状に設けられたエッジ部２１とを接着することで一体に形成されており、エッジ部２１は、フレーム５の開放端部に支持され、コーン振動板２０の内周縁部であるネック部２５は、円筒状のボイスコイルボビン１２の先端部に連結されている。
【００１５】
コーン振動板２０は、長径方向における母線部２６ｂの傾き角度θ１が、短径方向における母線部２６ａの傾き角度θ２に比して、浅くなるよう形成されている。また、コーン振動板２０は、長径方向における母線部２６ｂの両外端部を内側にそれぞれ屈曲させた一対の補強部２７、２７が形成され、短径方向における母線部２６ａの両外端部を外側にそれぞれ屈曲させた一対の副補強部２８、２８が形成されている。
【００１６】
各補強部２７は、長径方向における曲げ強度を補強すべく設けられており、各補強部２７の傾き角度θ３は、短径方向における母線部２６ａの傾き角度θ２と略同一となるよう構成されている。これにより、短径方向における母線部２６ａと長径方向における補強部２７との各接続部分２９、２９、２９、２９において、傾き角度の違いによる段差や折り目が生ずることなく、音響負荷による歪みや無用な共振を防止することができる。
【００１７】
各副補強部２８は、その傾き角度が０°となるよう構成されており、短径方向における曲げ強度を補強している。このため、コーン振動板２０の外周縁部を枠上に補強することができるため、コーン振動板２０全体の曲げ強度を高めることができ、更に歪みにくい構成とすることができる。
【００１８】
次に、図３を参照して、本発明におけるコーン振動板２０を用いた再生周波数の特性の測定結果と、従来におけるコーン振動板を用いた再生周波数の特性の測定結果と、を比較する。この再生周波数の特性の測定では、通常の音圧レベル（ＳＰＬ）、第２次高調波（２ｎｄ．ＨＤ）および第３次高調波（３ｒｄ．ＨＤ）を測定している。なお、図３における第２次高調波および第３次高調波の音圧レベルは、グラフの表記を簡易にすべく、実測値の音圧レベルに３０ｄＢ加算している。
【００１９】
ここで、ＳＰＬにおいて、従来のコーン振動板と本発明のコーン振動板２０とを比較するに、図示Ｐ１（中音域）のポイントにおいて、従来のコーン振動板に比して本発明のコーン振動板２０のほうが、音圧レベルが均一化されている。また、２ｎｄ．ＨＤにおいて、従来のコーン振動板と本発明のコーン振動板２０とを比較するに、図示Ｐ２およびＰ３のポイントにおいて、従来のコーン振動板は、共振等により歪率が多くなるが、本発明のコーン振動板は、歪率が低歪率で安定、すなわち、良好な歪特性となっている。
【００２０】
以上のように、本実施形態によれば、長径方向における曲げ強度を増すことができるため、簡易な構成で、音響負荷に耐えうる構成とすることができる。これにより、コーン振動板２０の長径方向において、音響負荷による歪みを生ずることなく、図３に示した測定結果のように、特に、人間の耳に敏感に感じとれる中音域の周波数帯において、再生周波数の均一性と低歪率化を維持することができ、良好な周波数レスポンスを得ることができる。
【図面の簡単な説明】
【００２１】
【図１】本実施形態に係るコーン振動板を適用したスピーカユニットの構造図である。
【図２】本実施期待に係るコーン振動板の構造図である。
【図３】本実施形態におけるコーン振動板の再生周波数の特性のグラフおよび従来におけるコーン振動板の再生周波数の特性のグラフである。
【符号の説明】
【００２２】
１…スピーカユニット  ６…コーン  ２０…コーン振動板  ２６ａ…母線部（短径方向）  ２６ｂ…母線部（長径方向）  ２７…補強部  ２８…副補強部
【図１】
2008277918.tif 000003
【図２】
2008277918.tif 000004
【図３】
2008277918.tif 000005